(57)【特許請求の範囲】
【請求項１】
少なくとも１種のベタイン基を含むポリシロキサンを調製するための方法であって、
Ａ）一般式Ｉのオルガノポリシロキサン：
【化１】
0006042826.tif 000062
（式中、
Ｒ１は、互いに独立に、同一または異なる、１〜２０個の炭素原子を有する分岐または非分岐の脂肪族または芳香族炭化水素基であり、
Ｒ２は、互いに独立に、同一または異なる、Ｒ１基またはＨであり、但し、少なくとも３個のＲ２基はＨであり、
ａは、５〜５００であり、
ｂは、１〜５０であり、
ｃは、０〜１０である）を、白金またはロジウム触媒の存在下に、一般式ＩＩのビニルシロキサン：
【化２】
0006042826.tif 000063
（式中、
Ｒ１’は、互いに独立に、同一または異なる、１〜２０個の炭素原子を有する分岐または非分岐の脂肪族または芳香族炭化水素基であり、
ｄは、１０〜１０００である）に付加することによってＳｉＨ基を有する反応生成物を得る工程ステップであって、
但し、一般式Ｉのオルガノポリシロキサンが、一般式ＩＩのビニルシロキサンを基準として少なくとも６倍、最大４０倍モル過剰で存在する工程ステップと、
前記反応生成物をさらに反応させる工程ステップＢ）であって、
Ｂ）遷移金属を触媒とし、工程ステップＡ）の前記生成物の前記ＳｉＨ基の一部または全部を、アルケニルおよびアルキニル化合物から選択される、少なくとも１個のエポキシ基を有する少なくとも１種の化合物に付加する工程ステップと、
Ｄ）工程ステップｄ１）および／またはｄ２）であって、工程ステップＡ）、Ｂ）の後に得られるエポキシシロキサンの一部または全部を、
ｄ１）少なくとも１種の一般式ＩＶのアミノ酸誘導体：
【化３】
0006042826.tif 000064
（式中、
Ｒ９は、１〜６個の炭素原子を有するアルキル基であり、
Ｒ９’は、１〜６個の炭素原子を有するアルキル基であり、
Ｒ１０は、互いに独立に、同一または異なる、１〜２０個の炭素原子を有する分岐もしくは非分岐の脂肪族もしくは芳香族炭化水素基または水素であり、
ｊは、１〜１０である）と反応させることによりベタイン基で変性されたシロキサンを得る工程ステップ；
ｄ２）一般式Ｖ、ＶＩおよびＶＩＩの群から選択される少なくとも１種の２級または３級アミノ化合物：
【化４】
0006042826.tif 000065
（式中、
Ｒ１１は、１〜６個の炭素原子を有するアルキル基であり、
Ｒ１２は、水素または１〜６個の炭素原子を有するアルキルであり、
Ｒ１３は、１〜３０個の炭素原子を有するアルキル、アリールまたはアルカリール基であり、
Ｒ１２’は、水素または１〜６個の炭素原子を有するアルキルであり、
ｋは、０〜４であり、
Ｒ１４は、エチルまたはメチルであり、
Ｒ１４’は、エチルまたはメチルであり、
Ｒ１５は、１〜３０個の炭素原子を有するアルキル基であり、
ｌは、０〜４である）と反応させることにより３級アミノ基または４級アンモニウム基で変性されたシロキサンを得る工程ステップであって、
但し、式ＶＩＩの場合または一般式ＶもしくはＶＩの３級アミン（すなわちＲ１２またはＲ１２’がＨではない）の場合、この３級アミンに対し等モル量の酸Ｈ＋Ｘ−
（Ｘ−は、形成される４級アンモニウム基の正電荷に対応する同一または異なる対イオンであって、酸ＨＸの無機または有機陰イオンから選択される）が添加される工程ステップと、
Ｅ）工程ステップｄ２）において２級アミンが使用される場合、すなわちＲ１２またはＲ１２’＝Ｈである場合、
結果として得られる３級アミノ基を、
［Ｙ（ＣＨ２）ｍＣＯＯ］１／ｎＺ                      一般式ＶＩＩＩ
（式中、
Ｙ−は、硫酸エチルイオン、硫酸メチルイオン、トルエンスルホン酸イオン、臭化物イオンまたは塩化物イオンであり、
Ｚｎ＋は、アルカリ金属またはアルカリ土類金属陽イオンであり、
ｍは、１〜６である）と反応させることによりベタイン基を得る工程ステップと、
を含む、方法。
【請求項２】
Ｃ）さらに、遷移金属を触媒とし、工程ステップＡ）の前記生成物の残りの前記ＳｉＨ基の一部または全部を、アルケニルおよびアルキニル化合物から選択される少なくとも１種の化合物に付加する工程ステップを有する、請求項１に記載の方法。
【請求項３】
工程ステップＡ）および／またはＢ）において、トルエン、シクロヘキサンおよびイソプロパノールからなる群から選択される少なくとも１種の溶媒が使用されることを特徴とする、請求項１又は２に記載の方法。
【請求項４】
工程ステップＡ）および／またはＢ）において、少なくとも１種の貴金属触媒が使用されることを特徴とする、請求項１〜３のいずれか一項に記載の方法。
【請求項５】
工程ステップＣ）において、前記アルケニル／アルキニル化合物が、多重結合を有するポリエーテル、アリル官能性ポリエーテル、オレフィン、エテン、エチン、プロペン、１−ブテン、１−ヘキセン、１−ドデセン、１−ヘキサデセン、アリルアルコール、１−ヘキセノール、スチレン、オイゲノール、アリルフェノールおよびウンデシレン酸メチルエステルからなる群から選択されることを特徴とする、請求項２に記載の方法。
【請求項６】
請求項１〜５のいずれか一項に記載の方法により得ることができる少なくとも１種のベタイン基を含むポリシロキサン。
【請求項７】
請求項１〜５のいずれか一項に記載の方法により得ることができる少なくとも１種のポリシロキサンまたは請求項６に記載のポリシロキサンの、化粧料、医薬品または皮膚科用組成物を製造するための使用。
【請求項８】
請求項１〜５のいずれか一項に記載の方法により得ることができる少なくとも１種のポリシロキサンまたは請求項６に記載のポリシロキサンの、ケアまたは洗浄料組成物におけるケア有効成分としての使用。
【請求項９】
請求項１〜５のいずれか一項に記載の方法により得ることができる少なくとも１種のポリシロキサンまたは請求項６に記載のポリシロキサンの、ヘアトリートメント組成物またはヘアアフタートリートメント組成物用コンディショニング剤としての使用または毛髪構造を改善するための薬剤としての使用。
【請求項１０】
請求項１〜５のいずれか一項に記載の方法により得ることができる少なくとも１種のポリシロキサンまたは請求項６に記載の少なくとも１種のポリシロキサンを含む化粧料、医薬品または皮膚科用組成物。
【請求項１１】
請求項１〜５のいずれか一項に記載の方法により得ることができる少なくとも１種のポリシロキサンまたは請求項６に記載の少なくとも１種のポリシロキサンを含む、家庭用途、産業用途または業務用途に用いるための洗浄料またはケア組成物。
【発明の詳細な説明】
【技術分野】
【０００１】
発明の分野
本発明は、少なくとも１種のベタイン基を含む新規な種類のポリシロキサンおよびこれらを調製するための方法に関する。本発明はまた、これらのポリマーの、組成物中、特に皮膚および皮膚付属器のケアおよび洗浄料組成物中におけるケア有効成分（care active ingredient）、例えばヘアコンディショニング剤等としての使用ならびに例えば繊維製品柔軟剤としての使用にも関する。さらに本発明は、これらの新規な種類の化合物を含む組成物に関する。
【背景技術】
【０００２】
先行技術
人間の毛髪は日々様々な影響を受けている。毛髪は、ブラシをかけたり、櫛で梳いたり、結い上げたり、後ろで結んだりすることによる機械的応力を受けているだけでなく、例えば、強い紫外線、低温、熱、風、水といった環境による攻撃も受けている。その人間の生理的状態（例えば、年齢、健康状態）もケラチン繊維の状態に影響を及ぼす。
【０００３】
特に、化学薬品による処理は毛髪の構造および表面性を変化させる。例えば、パーマネントウェーブ、ブリーチ、染毛（colouring）、一時染毛（tinting）、直毛化等の手法だけでなく、侵襲性の高い界面活性剤で頻繁に洗浄することも、程度の差はあれ毛髪構造の損傷に関与する。したがって、例えば、パーマネントウェーブを施す際には、毛髪の皮質に加えて表皮までもが攻撃を受ける。シスチンのジスルフィド結合が還元工程で破断し、後続の酸化工程で一部は酸化されてシステイン酸になる。
【０００４】
したがって、毛髪を洗浄すると同時にケアを行う組成物、例えば、シャンプー、洗い流さないタイプのコンディショナー、ヘアリンス、ヘアアフタートリートメント（after-treatment）組成物等に用いるための、用途の広い有効成分の必要性は非常に高い。
【０００５】
繊維製品のケアおよび仕上げに関しても、毛髪の処理と非常によく似た検討が行われている。ここでも同様に、繊維を保護およびケアするための組成物が必要とされている。
【０００６】
有機変性シロキサンは幅広い用途に使用されている。皮膚および毛髪をケアおよび洗浄するための化粧料組成物および洗浄料組成物にも多くの異なるシロキサン誘導体が使用されている。有機変性シロキサンの特性は、標的を絞って、特に、変性の形態によって調整することができ、また、変性部位の密度によっても調整することができる。
【０００７】
アリルポリエーテルを使用すると、親油性または非イオン性親水性基をシロキサン主鎖に結合させることが可能になる。毛髪および皮膚用のケア有効成分として、“Les Copolymeres Polysiloxanes polyethers comme additifs dans les formulations cosmetiques”（Dr. Kollmeier; Parfums, Cosmetiques, Aromes;51; 1983; 67-72)と題した記事に、例えば、非末端（middle）および／または末端の位置にポリエーテル基を有するシロキサンが記載されている。国際公開第２００２０５３１１１号パンフレットには、特に、毛髪のボリューム、櫛通り性およびツヤに関する化粧特性が良好な（ＡＢ）ｎ型構造を有するシリコーンポリエーテルブロック共重合体を身体洗浄用水性界面活性組成物に使用することが記載されている。
【０００８】
ポリエーテルシロキサンをベースとする市販品、例えば、ＰＥＧ−１２ジメチコン（PEG-12 Dimethicone）（ＩＮＣＩ命名法に従う；例えば、Dow CorningからのＤＣ  ５３２４）等もヘアケアに使用されている。これらのポリエーテルシロキサンは、通常、ヘアケア組成物において良好なコンディショニング性を示すが、その使用に伴い、組成物の粘度が非常に大きく低下する。
【０００９】
米国特許第５８７９６７１号には、ケア有効成分として先行技術によるアミノ官能性シロキサンおよびポリエーテルシロキサンの混合物を含む身体洗浄用水性界面活性組成物の使用が記載されている。これらの混合物は、乾燥および湿潤時の毛髪の櫛通り性を永久的に改善する。アミノ官能性シロキサン、例えば、ＩＮＣＩ名アモジメチコン（Amodimethicone）（例えば、MomentiveからのＳＦ  １７０８）またはアミノプロピルジメチコン（Aminopropyl Dimethicone）（例えば、信越シリコーン（Shin-Etsu）からのＫＦ  ８０１５）として入手できる製品等は、皮膚および毛髪に対し非常に優れたコンディショニング性を示し、また、酸性のｐＨ範囲においてプロトン化され、したがってカチオン性を示す（すなわちアンモニウム化合物となる）アミン官能基が存在するために、良好な持続性を示す。しかしながら、これらのアミノ官能性シロキサンも同様に、組成物の粘度を大幅に低下させる性質を有する。
【００１０】
４級アンモニウム基、いわゆるクワット（quat）基を有するポリシロキサンおよびそのヘアケア用添加剤に加えて繊維製品用柔軟剤としての使用も特許文献から周知である。したがって、例えば、独国特許出願公開第１４９３３８４号、欧州特許出願公開第００１７１２２号および米国特許第４８９５９６４号には、シロキサンが非末端（medium）の位置で４級アンモニウム基により変性されており、ポリマー全体にランダムに分布している構造が記載されている。これらの化合物の欠点は、シリコーンの性質が顕著に現れず、例えば毛髪および繊維製品用のコンディショニング剤としては平均的な良好な効果しか認められないことにある。
【００１１】
シリコーンの性質がより顕著に現れるのは、独国特許出願公開第３７１９０８６号および欧州特許出願公開２９４６４２号に記載されているようなカチオン性ポリシロキサンである。これらの明細書には、４級アンモニウム官能基が末端の位置に結合しているポリシロキサンの構造が記載されている。この種の化合物は、毛髪および繊維製品の両方のみならず硬質面に対するコンディショニング剤としても有利な効果を示す。例えば、欧州特許出願公開５３０９７４号、欧州特許出願公開第６１７６０７号、欧州特許出願公開第１０８０７１４号、国際公開パンフレット第２０１０８２８７９号および米国特許第６２０７１４１号には、化粧料組成物におけるこの種の化合物の使用が記載されている。これらの構造体は、例えば、クオタニウム−８０（Quaternium-80）のＩＮＣＩ名で市販されている（例えば、Evonik Goldschmidt GmbHからのＡＢＩＬ(登録商標）Ｑｕａｔ  ３２７２）。しかし、これらの構造はクワット基を２個しか有していない。このポリシロキサンは持続性が比較的低いため、特定の表面との親和性は中程度でしかない。さらに、このようなα，ω−変性構造はシリコーンの性質が強いため、対応するポリエーテル−またはアミノ−変性シロキサンと同様に、典型的な界面活性剤組成物の粘度を大幅に低下させるという欠点を有する。
【００１２】
欧州特許出願公開１８８７０２４号には、Ｔ型シロキサン構造を有する末端がカチオン性のポリシロキサンおよびその化粧料組成物におけるコンディショニング剤としての使用が記載されている。これらのカチオン性ポリシロキサンは顕著なコンディショニング効果およびツヤ生成効果を示す。この生成物はシリコーンクオタニウム−２２（Silicone Quaternium-22）のＩＮＣＩ名で市販されている（Evonik Goldschmidt GmbHからのＡＢＩＬ(登録商標）Ｔ  Ｑｕａｔ  ６０）。しかしながら、これらのシリコーンクワットもやはり界面活性剤組成物においては粘度を低下させる性質を有する。
【００１３】
欧州特許出願公開第１６４６６８号および欧州特許出願公開第１６６１２２号には、ベタイン基を含むシロキサンおよびその化粧料組成物（主としてヘアケア組成物）における使用を特許請求している。例えば、ジメチコンプロピルＰＧ−ベタイン（Domethicone Propyl PG-Betaine）のＩＮＣＩ名で市販品が入手可能である（例えば、Evonik Goldschmidt GmbHからのＡＢＩＬ(登録商標）Ｂ  ９９５０）。しかしながら、これらの構造には次の欠点もある：
１．）α，ω−変性シリコーンベタインは持続性および／またはコンディショニング効果が比較的低く、かつ組成物を希釈する効果が比較的高く、
２．）櫛の位置で変性された生成物は、やはりコンディショニング効果が中程度でしかない。
【発明の概要】
【発明が解決しようとする課題】
【００１４】
したがって、洗浄料およびケア組成物におけるコンディショニング効果および持続性が非常に高い、用途の広い有効成分も必要とされている。さらに、これに関連して、特に界面活性剤組成物の粘度が有効成分によって全くまたはほとんど影響を受けないこと、つまり、増粘剤の添加を最小限に抑えることができることが非常に望ましい。
【００１５】
本発明の目的は、コンディショニング性が非常に優れており、幅広い組成物において粘度に与える作用がごくわずかである有効成分を提供することにあった。
【課題を解決するための手段】
【００１６】
発明の説明
驚くべきことに、以下に記載するシリコーンベタインに加えてそれを調製するための方法も、本発明が対処しようとしている問題を解決できることが見出された。無置換の長い非末端シリコーンブロックを有する本発明による構造および本発明によるシリコーンベタインが、組成物中において粘度を変える作用をほとんど示さないことは予想に反しており、これは当業者にとって特に驚くべきことである。
【００１７】
したがって本発明は、請求項１に記載の少なくとも１種のベタイン基を含むポリシロキサンを調製するための方法、この方法によって得ることができるベタイン基含有シロキサン自体ならびに本発明のベタイン基含有シロキサンを含む組成物およびその使用を提供する。
【００１８】
本発明によるベタインポリシロキサンの具体的な利点は、これらが化粧品産業において相当な頻度で使用されているエーテル硫酸塩およびベタインを含む界面活性剤組成物においても粘度を低下させる作用を示さないことにある。それによって、組成物の粘度を所望の値に調整するのに必要な増粘剤が大幅に減量される。それによって、組成物の簡素化が可能になり、資源保護の面も配慮される。
【００１９】
本発明によるベタインポリシロキサンの利点の１つは、これらが概してアニオン性成分、特にアニオン性界面活性剤と良好な混和性を有することにある。
【００２０】
本発明によるベタインポリシロキサンの利点の１つは持続性の高さにある。
【００２１】
本発明によるベタイン基を有するポリシロキサンのさらなる利点は、皮膚、毛髪および繊維製品上で極めて優れたコンディショニング効果を発揮することにある。
【００２２】
本発明による化合物のさらなる利点は、損傷を受けていない毛髪または損傷を受けた毛髪の櫛通り性、柔軟性、ボリューム、整髪性（shapeability）、ツヤ、扱い易さおよびもつれにくさ（detangleability）等の特性を改善することにある。
【００２３】
本発明による生成物のさらなる利点は、これらのポリシロキサンが、組成物の泡立ちの改善、泡量の増加および／または泡のクリーミー性の向上に寄与することにある。
【発明を実施するための形態】
【００２４】
本発明によるポリシロキサンの一例を次に記載するが、本発明をこれらの例示的な実施形態に限定することを意図するものではない。以下に範囲、一般式または化合物の分類を述べる場合、これらは明確に述べられた対応する範囲または化合物群のみを包含するのではなく、個々の値（範囲）または化合物を抜き出すことにより得ることができる部分範囲および化合物の部分群もすべて包含することを意図している。本記載中に文書を引用した場合、これらの内容全体を本発明の開示の一部を構成するものとみなす。本発明において、複数の異なる単位を有する可能性がある、例えば有機変性ポリシロキサンまたはポリエーテル等の化合物が記載された場合、これらの単位はこれらの化合物中にランダムに分布していても（ランダムオリゴマー）規則に従って分布していてもよい（ブロックオリゴマー）。この種の化合物の単位の数に関する詳細は、対応する化合物全体を平均した平均値を意味すると理解すべきである。
【００２５】
特段の指定がない限り、ここに述べるパーセント（％）は質量による。
【００２６】
特段の指定がない限り、例えば、圧力や温度等の条件はすべて標準状態とする。
【００２７】
本発明は、少なくとも１種のベタイン基を含むポリシロキサンを調製するための方法であって、
Ａ）一般式Ｉのオルガノポリシロキサン：
【化１】
0006042826.tif 000002
（式中、
Ｒ１は、互いに独立に、同一または異なる、１〜２０個の炭素原子を有する分岐または非分岐の脂肪族または芳香族炭化水素基、好ましくは１〜９個の炭素原子を有する非分岐脂肪族または芳香族炭化水素基、特に好ましくはメチル、エチルまたはフェニルであり、
Ｒ２は、互いに独立に、同一または異なる、Ｒ１基またはＨであり、但し、少なくとも３個のＲ２基はＨであり、
ａは、５〜５００、好ましくは１０〜２５０、特に１５〜７５であり、
ｂは、１〜５０、好ましくは１〜２０、特に３〜１５であり、
ｃは、０〜１０、好ましくは０〜５、特に０である）を、白金またはロジウム触媒の存在下に、一般式ＩＩのビニルシロキサン：
【化２】
0006042826.tif 000003
（式中、
Ｒ１’は、互いに独立に、同一または異なる、１〜２０個の炭素原子を有する分岐または非分岐の脂肪族または芳香族炭化水素基、好ましくは１〜９個の炭素原子を有する非分岐脂肪族または芳香族炭化水素基、特に好ましくはメチル、エチルまたはフェニルであり、
ｄは、１０〜１０００、好ましくは１０１〜７５０、特に２０１〜５００である）に付加することによってＳｉＨ基を有する反応生成物を得る工程ステップであって、
但し、一般式Ｉのオルガノポリシロキサンが、一般式ＩＩのビニルシロキサンを基準として少なくとも６倍、最大４０倍モル過剰で存在する工程ステップと、
この反応生成物をさらに反応させる工程ステップＢ）であって、
Ｂ）遷移金属を触媒として、工程ステップＡ）の生成物のＳｉＨ基の一部または全部を、アルケニルおよびアルキニル化合物、特に、
【化３】
0006042826.tif 000004
（式中、
Ｒ３は、水素または１〜６個の炭素原子を有するアルキル、好ましくは水素であり、
Ｒ４は、水素または１〜６個の炭素原子を有するアルキル、好ましくはメチルであり、
Ｒ５は、互いに独立に、場合によりエーテル基を含む、同一または異なる２価の炭化水素基、好ましくはメチレンであり、
ｅは、０〜３０、好ましくは０〜１２、特に０〜６であり、
ｆは、０〜１８、好ましくは０〜６、特に１であり、
ｇは、０〜２、好ましくは０〜１、特に０である）からなる群から選択されるアルケニル化合物から選択される、少なくとも１個のエポキシ基を有する少なくとも１種の化合物、特にアリルグリシジルエーテルに付加する工程ステップと、
Ｃ）場合により、さらに、遷移金属を触媒とし、工程ステップＡ）の生成物の残りのＳｉＨ基の一部または全部を、アルケニルおよびアルキニル化合物、例えば、α−オレフィンまたは二重結合を含むポリエーテル等から選択される少なくとも１種の化合物、特に、１−ドデセン、１−ヘキサデセン、１−オクタデセンおよび一般式ＩＩＩのアリルポリエーテル：
【化４】
0006042826.tif 000005
（式中、
Ｒ６は、水素または１〜６個の炭素原子を有するアルキル、好ましくは水素またはメチル、特に水素であり、
Ｒ７は、互いに独立に、場合によりエーテル基を含む、同一または異なる、１〜３０個の炭素原子を有するアルキル、アリールまたはアルカリール基、好ましくはメチル、エチルまたはフェニル、特にメチルであり、
Ｒ８は、１〜１８個の炭素原子を有するアルキル基、酢酸基または水素、好ましくは１〜１８個の炭素原子を有するアルキル基、酢酸基、特にメチルであり、
ｈは、０〜１００、好ましくは１〜５０、特に１〜３０であり、
ｉは、０〜１００、好ましくは１〜５０、特に１〜３０である）からなる群から選択される少なくとも１種の化合物に付加する工程ステップと、
Ｄ）工程ステップｄ１）および／またはｄ２）であって、工程ステップＡ）、Ｂ）および場合によりＣ）の後に得られるエポキシシロキサンの一部または全部を、
ｄ１）一般式ＩＶの少なくとも１種のアミノ酸誘導体：
【化５】
0006042826.tif 000006
（式中、
Ｒ９は、１〜６個の炭素原子を有するアルキル基、好ましくはメチルであり、
Ｒ９’は、１〜６個の炭素原子を有するアルキル基、好ましくはメチルであり、
Ｒ１０は、互いに独立に、同一または異なる、場合によりエーテル、チオール、チオールエーテルもしくはヒドロキシル基を含む、１〜２０個の炭素原子を有する分岐もしくは非分岐の脂肪族もしくは芳香族炭化水素基または水素、好ましくは水素であり、
ｊは、１〜１０、好ましくは１〜３、特に１である）と反応させることにより、ベタイン基で変性されたシロキサンを得る工程ステップ；
ｄ２）一般式Ｖ、ＶＩおよびＶＩＩの群から選択される少なくとも１種の２級または３級アミノ化合物：
【化６】
0006042826.tif 000007
（式中、
Ｒ１１は、１〜６個の炭素原子を有するアルキル基、好ましくはメチルであり、
Ｒ１２は、水素または１〜６個の炭素原子を有するアルキル、好ましくは水素またはメチルであり、
Ｒ１３は、場合によりエーテル基を含む、１〜３０個の炭素原子を有するアルキル、アリールまたはアルカリール基であり、
Ｒ１２’は、水素または１〜６個の炭素原子を有するアルキル、好ましくは水素またはメチルであり、
ｋは、０〜４、好ましくは１〜２、特に１であり、
Ｒ１４は、エチルまたはメチル、好ましくはメチルであり，
Ｒ１４’は、エチルまたはメチル、好ましくはメチルであり、
Ｒ１５は、場合によりエーテルまたはヒドロキシル基を含む、場合により分岐、飽和または不飽和の、１〜３０個の炭素原子を有するアルキル基、好ましくは８〜２２個の炭素原子を有する直鎖飽和アルキル基であり、
ｌは、０〜４、好ましくは１である）と反応させることにより、３級アミノ基または４級アンモニウム基で変性されたシロキサンを得る工程ステップであって、
但し、式ＶＩＩの場合または一般式ＶもしくはＶＩの３級アミン（すなわちＲ１２またはＲ１２’がＨではない）の場合、この３級アミンに対し等モル量の酸Ｈ＋Ｘ−
（Ｘ−は、形成される４級アンモニウム基の正電荷に対応する同一または異なる対イオンであって、酸ＨＸの無機または有機陰イオン、好ましくは、酢酸イオン、乳酸イオン、硫酸エチルイオン、硫酸メチルイオン、トルエンスルホン酸イオン、臭化物イオンまたは塩化物イオンから選択される対イオンである）が添加される、工程ステップと、
Ｅ）場合により、工程ステップｄ２）で２級アミンを使用した場合、すなわちＲ１２またはＲ１２’＝Ｈである場合、
結果として得られる３級アミノ基を、
［Ｙ（ＣＨ２）ｍＣＯＯ］１／ｎＺ      一般式ＶＩＩＩ
（式中、
Ｙ−は、硫酸エチルイオン、硫酸メチルイオン、トルエンスルホン酸イオン、臭化物イオンまたは塩化物イオンであり、
Ｚｎ＋は、アルカリ金属またはアルカリ土類金属陽イオン、好ましくはＮａ＋またはＫ＋であり、
ｍは、１〜６、好ましくは１または２、特に１である）と反応させることによりベタイン基を得る工程ステップと
を含む方法を提供する。
【００２８】
一般式ＩのＳｉＨ基を有するオルガノポリシロキサンが一般式ＩＩの二重結合含有シロキサンを基準として少なくとも６倍モル過剰で存在する場合、網目の発達および非常に粘性の高い生成物の生成が阻止される。その結果として、エラストマーもゲルも生成しない。原則として、本方法により調製されるオルガノシロキサンは粘度が１０００００ｍＰａｓまでである。本生成物中には、櫛状に変性されたシロキサンの形態にある特定のオルガノシロキサン部分が存在することができる。
【００２９】
上で選択した言い回しから明らかなように、任意の工程ステップは省略することが可能である。ベタイン基変性部分を形成するために必要なのは、工程ステップＡ）、Ｂ）およびｄ１）のみまたはＡ）、Ｂ）、ｄ２）およびＥ）の組合せのみである。統計的に少なくとも１個のベタイン基を有する生成物を得るためには、本明細書において使用される式ＩＶのアミノ酸誘導体対式Ｉのシロキサンのモル比は少なくとも１：１である。あるいは、式Ｖ／ＶＩの２級アミン対式ＶＩＩＩの酸誘導体対式Ｉのシロキサンのモル比を少なくとも１：１：１に維持することも可能である。
【００３０】
反応条件を選択することにより、工程ステップＡ）において、二重結合含有シロキサンおよびＳｉＨ官能性シロキサンは、例えば、式ＩＸに示す理想的な「Ｈ構造」型シロキサン（ｃ＝０、Ｒ１＝Ｒ１’＝Ｍｅ、Ｒ２＝ＭｅまたはＨ）を形成する：
【化７】
0006042826.tif 000008
（式中、
ｕ＋ｏ＝ｑ＋ｓ＝ａかつ
ｖ＋ｐ＝ｒ＋ｔ＝ｂ−１である）。
【００３１】
上に挙げた一般式ＩＸは理想的な構造式であることを当業者は理解するであろう。本生成物中にはより高度に分岐／架橋した構造もさらに存在することができる。
【００３２】
このシロキサン主鎖は後続の工程ステップの間も維持される。
【００３３】
シロキサンポリマーの合成は溶媒を用いても溶媒なしでも行うことができる。可能性のある起泡は溶媒を使用することによって抑制することができる。好適な溶媒は、例えば、トルエン、シクロヘキサンおよびイソプロパノールである。
【００３４】
工程ステップＡ）、Ｂ）および／または場合によりＣ）、すなわちＳｉＨ基を有するシロキサンのＣＣ多重結合へのヒドロシリル化に使用することができる有効な触媒は、ヒドロシリル化活性触媒として当業者に周知のＰｔ−およびＲｈ含有錯体等の貴金属触媒、例えば：Ｈ２ＰｔＣｌ６、（ＮＨ３）２ＰｔＣｌ２、Ｐｔ［（ＣＨ２＝ＣＨ−ＳｉＭｅ２）２Ｏ］ｎまたはＲｈ（ＣＯ）（Ｃ５Ｈ７Ｏ２）とすることができる。好適な好ましいヒドロシリル化反応条件は、特に、例えば、欧州特許出願公開第１５２０８７０号に記載されており、当該明細書のこれらの条件を本発明の開示の一部を構成するものとしてここに援用する。
【００３５】
工程ステップＣ）に好適なアルケニル／アルキニル化合物は、例えば、多重結合を有するポリエーテル、例えば、アリル官能性ポリエーテル、オレフィン、エテン、エチン、プロペン、１−ブテン、１−ヘキセン、１−ドデセン、１−ヘキサデセン、アリルアルコール、１−ヘキセノール、スチレン、オイゲノール、アリルフェノール、ウンデシレン酸メチルエステルである。特に、二重結合を有するポリエーテル、特にアリル官能性ポリエーテルが好適である。
【００３６】
工程ステップＡ）、Ｂ）および／または場合によりＣは、順次または同時に行うことができる。
【００３７】
工程ステップｄ１）における、ベタイン基で変性されたシロキサンを得るためのエポキシシロキサンとアミノ酸誘導体との反応は、例えば、欧州特許出願公開第０１６６１２２号に記載されており、工程ステップｄ２）およびＥ）における３級アミン−または４級アンモニウム基含有シロキサンを得るためのアミンとの反応は、例えば、独国特許出願公開第３７１９０８６号および欧州特許出願公開第０２９４６４２号に説明されている。
【００３８】
本発明による方法により得ることができるベタイン基を含むポリシロキサンも同様に、本発明により提供される。
【００３９】
本発明によるベタインポリシロキサンは、少なくとも１個、好ましくは少なくとも３個、特に好ましくは少なくとも５個のベタイン基を含む。
【００４０】
本発明による好ましいベタインポリシロキサンは、好ましいものとして上述した方法を用いることにより得られる。
【００４１】
さらに本発明は、本発明によるベタインポリシロキサンまたは本発明による方法により得ることができるベタインポリシロキサンの、化粧料、医薬品または皮膚科用組成物を製造するための使用を提供する。
【００４２】
本発明により、以下に具体的に述べる本発明による使用にも、水溶性または水不溶性ポリシロキサンを用いることが可能である。当業者は、製造すべき組成物（不透明または透明な組成物）に応じて、組成物の製造に水溶性または水不溶性ポリシロキサンのどちらを使用すべきかを理解しているはずである。本発明の文脈における「水不溶性」という語は、２０℃、圧力１バールにおける水溶液への溶解性が０．０１重量％未満であることと定義される。本発明の文脈における「水溶性」という語は、２０℃、圧力１バールにおける水溶液への溶解性が０．０１重量％以上であることと定義される。
【００４３】
本発明は、本発明によるベタインポリシロキサンまたは本発明による方法により得ることができるベタインポリシロキサンの、好ましくは界面活性剤含有水性ケアおよび洗浄料組成物におけるケア有効成分としての使用をさらに提供する。
【００４４】
本明細書における「ケア有効成分」という語は、対象物の元の形態を維持する目的、外的な影響（例えば、時間、光、温度、圧力、汚れ、対象物と接触する他の反応性化合物との化学反応）による作用、例えば、加齢、汚染、材料の疲労、脱色等を軽減または回避する目的、または対象物に望ましい性質を改善する目的さえ満足する物質を意味するものと理解される。最後に、例えば、毛髪のツヤの改善または検討対象の弾性の向上を挙げることができる。
【００４５】
上記に関連して好ましいケア組成物はツヤを改善するケア組成物である。
【００４６】
上記に関連するケアおよび洗浄料組成物は、化粧料、医薬品または皮膚科用組成物に限定されず、家庭内および産業に使用される組成物、例えば、無生物体、例えば、タイル、木材、ガラス、セラミック、リノリウム、プラスチック、塗装面、皮革、布帛、繊維等の表面を手入れおよび洗浄するための組成物であってもよい。この種の物品の例は、窓ガラスおよび窓台、シャワーブース、床材（カーペット、タイル、積層板、寄せ木材、コルク床材、大理石、石およびファインストーンウェア製床材等）、家庭用セラミック（便器、洗面器、ビデ、シャワートレイ、浴槽、ドアの取手、作り付けの器具（fittings）等）、家電製品（洗濯機、乾燥機、食器洗浄機、セラミックまたはステンレス鋼製流し台等）、家具（テーブル、椅子、棚、収納部、窓、調理器具、陶器、刃物類等）、洗濯物、特に、身体に近接する洗濯物（「下着」）、水容器、輸送機関および航空機（乗用車、バス、モーターボート、帆船等）、手術器具等の物品、掃除機、エンジン、食品加工における輸送、加工および貯蔵用の管路、容器および設備である。したがって、本発明は、上記に関連して、家庭用、産業用および施設（institutional）用の洗浄およびケア組成物用途にも関連する。
【００４７】
上記に関連して、被ケアおよび被洗浄面は、好ましくは、繊維または繊維製品の表面、特に、織物、洗濯物、家具の張地またはカーペットの表面である。
【００４８】
さらに本発明は、本発明によるベタインポリシロキサンまたは本発明による方法により得ることができるベタインポリシロキサンの、ヘアトリートメント組成物およびヘアアフタートリートメント組成物用のコンディショニング剤としての使用に加えて、毛髪構造を改善するための薬剤としての使用も提供する。
【００４９】
さらに本発明は、本発明によるベタインポリシロキサンまたは本発明による方法により得ることができるベタインポリシロキサンを含む化粧料、医薬品または皮膚科用組成物、好ましくは、化粧用ケアおよび洗浄料組成物、特に、界面活性剤含有水性ケアおよび洗浄料組成物、例えば、シャンプー、液体石鹸およびシャワージェルを提供する。
【００５０】
本発明による好ましい化粧用ケア組成物は、本発明による少なくとも１種のポリシロキサンまたは本発明による方法により得ることができる（好ましくは得られる）ポリシロキサンの１種を含む、特に、毛髪から洗い流すタイプまたは洗い流さないタイプのヘアトリートメント組成物およびヘアアフタートリートメント組成物、例えば、顕著なコンディショニング効果を有するかまたは有しないシャンプー、リンスインシャンプー、リンス、ヘアアフタートリートメント、ヘアパック、整髪助剤、整髪組成物、ウェーブヘア用ブローローション（blow-waving lotion）、ヘアセット組成物、パーマネントウェーブ用組成物、直毛化（hair-smoothing）組成物および染毛（colouring the hair）組成物である。
【００５１】
本発明によるベタインポリシロキサンまたは本発明による方法により得ることができるベタインポリシロキサンは、有利には、本発明による組成物に０．０１〜２０質量パーセント、好ましくは０．１〜８質量パーセント、特に好ましくは０．２〜４質量パーセントの濃度で使用される。
【００５２】
本発明によるベタインポリシロキサンまたは本発明による方法により得ることができるベタインポリシロキサンを含む化粧料組成物は、例えば、エモリエント剤、乳化剤および界面活性剤、増粘剤／粘度調節剤／安定剤、ＵＶ光防御遮蔽剤、酸化防止剤およびビタミン類、ハイドロトロープ剤（すなわちポリオール）、固体およびフィラー、皮膜形成剤、真珠光沢剤、脱臭および制汗有効成分、昆虫忌避剤、セルフタンニング剤、防腐剤、コンディショナー、香料、染料、生体由来の有効成分、ケア用添加剤（care additive）、過脂肪剤および溶剤の群から選択される少なくとも１種のさらなる成分を含むことができる。個々の群の代表的な例として使用することができる物質は当業者に知られており、例えば、独国特許出願公開第１０２００８００１７８８．４号に記載されている。この特許出願を本開示の一部を構成するものとしてここに援用する。さらなる任意選択的な成分および使用されるこれらの成分の量に関しては、当業者に周知の関連するハンドブック、特に、例えば K. Schrader, “Grundlagen und Rezepturen der Kosmetika [Fundamentals and Formulations of Cosmetics]”, 2nd Edition, pages 329〜341, Huthig Buch Verlag Heidelbergを参照する。
【００５３】
具体的な添加剤の量は目的の用途に応じて異なる。
【００５４】
各用途の典型的な指針となる組成物は先行技術において周知であり、例えば、特定の基本材料および有効成分の製造業者のカタログに示されている。これらの既存の組成物は、通常、そのまま採用することができる。しかしながら、必要に応じて、適合および最適化のために複雑でない簡単な実験を行って所望の修正を行うことができる。
【００５５】
さらに本発明は、少なくとも１種の本発明によるポリシロキサンまたは本発明による方法により得ることができる（好ましくは得られる）ポリシロキサンを含む、家庭用、産業用および業務用の洗浄料およびケア組成物、例えば、消毒剤、殺菌洗浄剤、泡状洗浄剤、床用洗浄剤、カーペット用洗浄剤、家具の張地用洗浄剤、床の手入れ用品、大理石洗浄剤、寄木張り床用洗浄剤、石およびセラミック床用洗浄剤、拭き取り手入れ（wipe care）用組成物、ステンレス鋼洗浄剤、ガラス洗浄剤、食器用洗剤、プラスチック洗浄剤、衛生設備用洗浄剤、木材洗浄剤、皮革洗浄剤、洗剤、洗濯物ケア用組成物、殺菌洗剤、強力洗剤、低刺激性洗剤、ウール用洗剤、布帛柔軟剤、含浸組成物等を提供する。これに関連し、家庭用途、産業用途および業務用途に好ましい洗浄料およびケア組成物は、洗剤、洗濯物ケア用組成物、強力洗剤、低刺激性洗剤、ウール用洗剤、布帛柔軟剤、含浸組成物、特に布帛柔軟剤である。
【００５６】
以下に列挙する実施例に本発明の例を記載するが、本発明を実施例に特定する実施形態に限定する意図はなく、本出願の範囲は記載全体および特許請求項の範囲によって生じる。
【実施例】
【００５７】
実施例：
実施例１：ベタイン変性されたポリシロキサンの調製：
撹拌器、環流冷却器、温度計および滴下漏斗を備えた４ツ口フラスコ内で、一般式ＣＨ２＝ＣＨ−ＳｉＭｅ２Ｏ−（ＳｉＭｅ２Ｏ）３４８−ＳｉＭｅ２−ＣＨ＝ＣＨ２のα，ω−ジビニルシロキサン６５．０ｇ（２．５ｍｍｏｌ）およびアリルグリシジルエーテル（ＡＧＥ）７４．２ｇ（６５０ｍｍｏｌ）をトルエン２００ｍｌに溶解して１００℃に加熱し、（ＮＨ３）２ＰｔＣｌ２４．３ｍｇと混合した。一般式Ｍｅ３ＳｉＯ−（ＳｉＭｅ２Ｏ）２８（ＳｉＭｅＨＯ）１０ＳｉＭｅ３のＳｉＨ官能性シロキサン１４１．５ｇ（５０．０ｍｍｏｌすなわちＳｉＨ基５００．０ｍｍｏｌ）を撹拌しながら滴下し、反応混合物を１００℃で２時間反応させることによりＳｉＨ転化率を＞９５％とした。トルエン、過剰のＡＧＥおよび他の揮発性の二次成分を分離するために反応生成物を１２０℃、１ミリバールで２時間減圧蒸留した。
【００５８】
次いで、わずかに不透明なエポキシシロキサン生成物をイソプロパノール３００ｍｌに溶解し、Ｎ，Ｎ−ジメチルグリシン５１．６ｇ（５００ｍｍｏｌ）と混合し、８０℃で６時間加熱した。プロピレングリコール３１５．２ｇを加えて、８０℃、１００ミリバールでイソプロパノールを減圧留去した。淡黄色のわずかに不透明な生成物を得た。これはプロピレングリコールを５０％含んでおり、１Ｈ−ＮＭＲによるエポキシの転化率は＞９８％である。
【００５９】
実施例２：ベタイン変性されたポリシロキサンの調製：
撹拌器、環流冷却器、温度計および滴下漏斗を取り付けた４ツ口フラスコ内で、一般式ＣＨ２＝ＣＨ−ＳｉＭｅ２Ｏ−（ＳｉＭｅ２Ｏ）３４８−ＳｉＭｅ２−ＣＨ＝ＣＨ２のジビニルシロキサン６５．０ｇ（２．５ｍｍｏｌ）およびアリルグリシジルエーテル（ＡＧＥ）７４．２ｇ（６５０ｍｍｏｌ）をトルエン２５０ｍｌに溶解して１００℃に加熱し、（ＮＨ３）２ＰｔＣｌ２４．９ｍｇと混合した。一般式Ｍｅ３ＳｉＯ−（ＳｉＭｅ２Ｏ）３８（ＳｉＭｅＨＯ）１０ＳｉＭｅ３のＳｉＨ官能性シロキサン１７８．６ｇ（５０．０ｍｍｏｌすなわちＳｉＨを５００．０ｍｍｏｌ）を撹拌しながら滴下し、反応混合物を１１０℃で３時間反応させることによりＳｉＨ転化率を＞９５％とした。トルエン、過剰のＡＧＥおよび他の揮発性の二次成分を分離するために反応生成物を１２０℃、１ミリバールで２時間減圧蒸留した。
【００６０】
次いで、わずかに不透明なエポキシシロキサン生成物をイソプロパノール３００ｍｌに溶解し、Ｎ，Ｎ−ジメチルグリシン５１．６ｇ（５００ｍｍｏｌ）と混合して８０℃で６時間加熱した。プロピレングリコール３５２．１ｇを加えて、１００ミリバール、８０℃でイソプロパノールを減圧留去した。淡黄色のわずかに不透明な生成物を得た。これはプロピレングリコールを５０％含んでおり、１Ｈ−ＮＭＲによるエポキシ転化率は＞９８％である。
【００６１】
実施例３：ベタインおよびポリエーテルで変性されたポリシロキサンの調製：
撹拌器、環流冷却器、温度計および滴下漏斗を備えた４ツ口フラスコ内で、一般式Ｍｅ３ＳｉＯ−（ＳｉＭｅ２Ｏ）２８（ＳｉＭｅＨＯ）１０ＳｉＭｅ３のＳｉＨ官能性シロキサン１４１．５ｇ（５０．０ｍｍｏｌすなわちＳｉＨを５００．０ｍｍｏｌ）を初期仕込み物として装入し、これを１２０℃に加熱し、（シクロヘキセン）２Ｐｔ２Ｃｌ４１１．６ｍｇおよびＮ−エチル−Ｎ，Ｎ−ジイソプロピルアミン０．３２ｇと混合した。アリルグリシジルエーテル（ＡＧＥ）３４．２ｇ（３００ｍｍｏｌ）を撹拌しながら滴下し、１２０℃で１時間撹拌したままにした。次いで、一般式ＣＨ２＝ＣＨ−ＳｉＭｅ２Ｏ−（ＳｉＭｅ２Ｏ）３４８−ＳｉＭｅ２−ＣＨ＝ＣＨ２のジビニルシロキサン６５．０ｇ（２．５ｍｍｏｌ）を加えて混合物をさらに１時間１２０℃で反応させた後、一般式Ｈ２Ｃ＝ＣＨ−ＣＨ２−（ＯＣＨ２ＣＨ２）１５−（ＯＣＨ２ＣＨ（ＣＨ３））７−ＯＣＨ３のアリルポリエーテル３９８．７ｇ（３５０ｍｍｏｌ）を滴下した。さらに（シクロヘキセン）２Ｐｔ２Ｃｌ４３．５ｍｇを添加し、１２０℃で３時間経過した後のＳｉＨ転化率は＞９５％に到達した。過剰のＡＧＥおよび他の揮発性の二次成分を分離するために、反応生成物の混合物を１２０℃、１ミリバールで２時間減圧蒸留した。
【００６２】
次いで、乳白色の不透明なエポキシ−ポリエーテル−シロキサン生成物をイソプロパノール７００ｍｌに溶解し、Ｎ，Ｎ−ジメチルグリシン３０．９ｇ（３００ｍｍｏｌ）を混合して、８０℃で６時間加熱した。プロピレングリコール６７０．０ｇを加えて、８０℃、１００ミリバールでイソプロパノールを減圧留去した。プロピレングリコール５０％を含む淡黄色の不透明な生成物を得た。
【００６３】
実施例４：ベタインおよびＣ１２アルキルで変性されたポリシロキサンの調製：
撹拌器、環流冷却器、温度計および滴下漏斗を取り付けた４ツ口フラスコ内で、一般式ＣＨ２＝ＣＨ−ＳｉＭｅ２Ｏ−（ＳｉＭｅ２Ｏ）２４８−ＳｉＭｅ２−ＣＨ＝ＣＨ２のジビニルシロキサン６１．３ｇ（３．３ｍｍｏｌ）、１−ドデセン３３．７ｇ（２００ｍｍｏｌ）およびアリルグリシジルエーテル（ＡＧＥ）５１．４ｇ（４５０ｍｍｏｌ）をトルエン３００ｍｌに溶解して１００℃に加熱し、（ＮＨ３）２ＰｔＣｌ２４．４ｍｇを混合した。一般式Ｍｅ３ＳｉＯ（ＳｉＭｅ２Ｏ）２８（ＳｉＭｅＨＯ）１０ＳｉＭｅ３のＳｉＨ官能性シロキサン１４１．５ｇ（５０．０ｍｍｏｌすなわちＳｉＨを５００．０ｍｍｏｌ）を撹拌しながら滴下し、反応混合物を１００℃で４時間反応させてＳｉＨ転化率を＞９５％とした。トルエン、過剰のＡＧＥおよびドデセンに加えて他の揮発性の二次成分を除去するために、反応生成物の混合物を１２０℃、１ミリバールで２時間減圧蒸留した。
【００６４】
次いで、わずかに不透明なエポキシ−アルキル−シロキサン生成物をイソプロパノール３００ｍｌに溶解し、Ｎ，Ｎ−ジメチルグリシン３６．１ｇ（３５０ｍｍｏｌ）と混合し、８０℃で６時間加熱した。イソプロパノールを８０℃、１００ミリバールで減圧留去した。粘性の高いわずかに不透明な淡黄色の生成物を得た。１Ｈ−ＮＭＲによるエポキシ転化率は＞９８％である。
【００６５】
比較例５：
ベタイン基含有シロキサンＡＢＩＬ(登録商標）Ｂ  ９９５０（Evonik Goldschmidt GmbHより市販、ＩＮＣＩ：ジメチコンプロピルＰＧ−ベタイン（Dimethicone Propyl PG-betaine）；有効成分含有量（active content）：３０％）
【００６６】
比較例６：
ポリエーテル基含有シロキサンＤＣ  ５３２４（Dow Corningより市販、ＩＮＣＩ：ＰＥＧ−１２ジメチコン（PEG-12 Dimethocine））
【００６７】
比較例７：
クワット基含有シロキサンＡＢＩＬ(登録商標）Ｑｕａｔ  ３２７２（Evonik Goldschmidt GmbHより市販、ＩＮＣＩ：クオタニウム−８０；有効成分含有量：５０％）
【００６８】
比較例８：
アミノ基含有シロキサンＤＣ  ２−８５６６（Dow Corningより市販、ＩＮＣＩ：アモジメチコン（Amodimethicone））
【００６９】
実施例９：ベタイン変性ポリシロキサンの調製：
撹拌器、環流冷却器、温度計および滴下漏斗を取り付けた４ツ口フラスコ内で、トルエン１００ｍｌ中の一般式ＨＭｅ２ＳｉＯ−（ＳｉＭｅ２Ｏ）５５（ＳｉＭｅＨＯ）８ＳｉＭｅ２ＨのＳｉＨ官能性シロキサンを７０．０ｇ（１４．９ｍｍｏｌすなわちＳｉＨを１４９．０ｍｍｏｌ）を初期仕込み物として導入して１１０℃に加熱し、（シクロヘキセン）２Ｐｔ２Ｃｌ４を２２．０ｍｇおよびＮ−エチル−Ｎ，Ｎ−ジイソプロピルアミン０．０６ｇと混合した。アリルグリシジルエーテル（ＡＧＥ）８．４ｇ（７３．６ｍｍｏｌ）を撹拌しながら滴下し、１１０℃で１時間撹拌したままにした。次いで、一般式ＣＨ２＝ＣＨ−ＳｉＭｅ２Ｏ−（ＳｉＭｅ２Ｏ）３４８−ＳｉＭｅ２−ＣＨ＝ＣＨ２のジビニルシロキサン２０．４ｇ（０．８ｍｍｏｌ）を加えて混合物をさらに１１０℃で１時間反応させた後、アリルグリシジルエーテル１１．０ｇ（９６．４ｍｍｏｌ）を滴下した。１１０℃で３時間経過した後のＳｉＨ転化率は＞９５％に到達した。トルエン、過剰のＡＧＥおよび他の揮発性の二次成分を分離するために反応生成物の混合物を１２０℃、１ミリバールで２時間減圧蒸留した。
【００７０】
次いで、不透明なエポキシシロキサン生成物をイソプロパノール１５０ｍｌに溶解し、Ｎ，Ｎ−ジメチルグリシン１５．２ｇ（１４９．０ｍｍｏｌ）と混合し、８０℃で６時間加熱した。プロピレングリコール１２２．５ｇを加えてイソプロパノールを８０℃、１００ミリバールで減圧留去した。淡黄色の不透明な生成物を得た。これはプロピレングリコール５０％を含んでおり、１Ｈ−ＮＭＲによるエポキシ転化率は＞９７％である。
【００７１】
実施例１０：ベタイン変性ポリシロキサンの調製：
撹拌器、環流冷却器、温度計および滴下漏斗を備えた４ツ口フラスコ内で、一般式ＣＨ２＝ＣＨ−ＳｉＭｅ２Ｏ−（ＳｉＭｅ２Ｏ）２４８−ＳｉＭｅ２−ＣＨ＝ＣＨ２のα，ω−ジビニルシロキサン５４．１ｇ（２．９ｍｍｏｌ）およびアリルグリシジルエーテル（ＡＧＥ）７８．０ｇ（６８３．４ｍｍｏｌ）をトルエン３００ｍｌに溶解して１００℃に加熱し、（ＮＨ３）２ＰｔＣｌ２５．７ｍｇと混合した。一般式Ｍｅ３ＳｉＯ−（ＳｉＭｅ２Ｏ）２８（ＳｉＭｅＨＯ）１０ＳｉＭｅ３のＳｉＨ官能性シロキサン１６６．９ｇ（５８．３ｍｍｏｌすなわちＳｉＨ基５８３．２ｍｍｏｌ）を撹拌しながら滴下した。１１０℃で２時間経過した後の反応混合物のＳｉＨ転化率は＞９５％となる。トルエン、過剰のＡＧＥおよび他の揮発性の二次成分を除去するために、反応生成物を１２０℃、１ミリバールで２時間減圧蒸留した。
【００７２】
次いで、わずかに不透明なエポキシシロキサン生成物をイソプロパノール３００ｍｌに溶解し、Ｎ，Ｎ−ジメチルグリシン６０．１ｇ（５８３．２ｍｍｏｌ）を混合して８０℃で６時間加熱した。ジプロピレングリコール３４７ｇを加えてイソプロパノールを８０℃、１００ミリバールで減圧留去した。淡黄色のわずかに不透明な生成物を得た。これはプロピレングリコール５０％を含み、１Ｈ−ＮＭＲによるエポキシ転化率は＞９８％である。
【００７３】
実施例１１：ベタインおよびクワットで変性されたポリシロキサンの調製：
撹拌器、環流冷却器、温度計および滴下漏斗を備えた４ツ口フラスコ内で、一般式ＣＨ２＝ＣＨ−ＳｉＭｅ２Ｏ−（ＳｉＭｅ２Ｏ）３４８−ＳｉＭｅ２−ＣＨ＝ＣＨ２のα，ω−ジビニルシロキサン６５．０ｇ（２．５ｍｍｏｌ）およびアリルグリシジルエーテル（ＡＧＥ）７４．２ｇ（６５０ｍｍｏｌ）をトルエン２５０ｍｌに溶解して１００℃に加熱し、（ＮＨ３）２ＰｔＣｌ２４．３ｍｇと混合した。一般式Ｍｅ３ＳｉＯ−（ＳｉＭｅ２Ｏ）２８（ＳｉＭｅＨＯ）１０ＳｉＭｅ３のＳｉＨ官能性シロキサン１４１．５ｇ（５０．０ｍｍｏｌすなわちＳｉＨ基５００．０ｍｍｏｌ）を撹拌しながら滴下し、反応混合物を１００℃で２時間反応させることによってＳｉＨ転化率を＞９５％とした。トルエン、過剰のＡＧＥおよび他の揮発性の二次成分を分離するために反応生成物を１２０℃、１ミリバールで２時間減圧蒸留した。
【００７４】
次いで、不透明なエポキシシロキサン生成物をイソプロパノール２５０ｍｌに溶解し、Ｎ，Ｎ−ジメチルグリシン４５．７ｇ（４００．０ｍｍｏｌ）およびＮ，Ｎ−ジメチルアミノエトキシエタノール１３．３ｇ（１００．０ｍｍｏｌ）および酢酸６．２ｇ（１０３．０ｍｍｏｌ）と混合して、８０℃で６時間加熱した。プロピレングリコール３２９ｇを加えて、イソプロパノールを８０℃、１００ミリバールで減圧留去した。淡黄色の不透明な生成物を得た。これはプロピレングリコール５０％を含み、１Ｈ−ＮＭＲによるエポキシ転化率は＞９７％である。
【００７５】
適用例：
適用性
組成物の構成成分の名称は、一般に知られているＩＮＣＩ命名法の形態で組成中に示す。
【００７６】
適用例の濃度はすべて重量パーセントで示す。
【００７７】
１．）官能性試験を用いたヘアコンディショニング試験：
ヘアコンディショニングの適用に関する評価を行うために、本発明による実施例１および２ならびに比較例５、６および８を単純なシャンプー組成物に使用した。
【００７８】
シャンプーに使用した際の適用性を次の組成物で試験した：
【００７９】
【表１】
0006042826.tif 000009
【００８０】
シャンプー組成物の特性を評価するために、試験過程ではリンスを用いる後処理を行わなかった。
【００８１】
適用に関する評価を行うために、官能性試験に使用される毛束を標準化された方法でパーマネントウェーブ処理および脱色処理することによって予め損傷を与えておく。このために、慣用の整髪（hairdressing）を用いる。試験手順、使用する基本材料および評価基準については独国特許出願公開第１０３２７８７１号に詳述されている。
【００８２】
コンディショニング用試料を用いた、予め損傷させた毛束の標準化された処理：
上述したように予め損傷させておいた毛束を、上述のシャンプーを用いて次に示すように処理する：
毛束を流温水で湿らせる。余分な水分を手で優しく絞り、シャンプーを適用して毛髪に優しく浸透させる（１ｍｌ／毛束（２ｇ））。１分放置した後、毛髪を１分間濯ぐ。
【００８３】
官能性評価を行う前に、毛髪を大気湿度５０％、２５℃で少なくとも１２時間風乾させる。
【００８４】
評価基準：
１〜５段階で与えられる等級に従い官能性評価を行った。１が最も悪く、５が最も優れている。各試験基準ごとに個々の評価が与えられる。
試験基準は：湿潤時の櫛通り性、湿潤時の感触、乾燥時の櫛通り性、乾燥時の感触、外観／ツヤである。
【００８５】
以下の表に、本発明の組成物１ａ、２ａ、比較組成物Ｃ３ａ、Ｃ４ａおよびＣ５ａならびに対照組成物０ａ（試験物質を含まないプラセボ）を用いて上述したように処理した毛束の官能性評価の結果を比較する。
【００８６】
【表２】
0006042826.tif 000010
【００８７】
驚くべきことに、この結果から、本発明による実施例１および２を含む本発明による組成物１ａおよび２ａは、先行技術による比較例５、６および８を含む比較組成物Ｃ３ａ、Ｃ４ａおよびＣ５ａよりもはるかに評点が高いことがわかる。
【００８８】
２．）手洗い試験を用いたスキンコンディショニング試験：
本発明による実施例１および２の水性界面活性剤組成物におけるスキンコンディショニング（スキンケア性能）を評価するために、官能性手洗い試験を実施して、先行技術に従う比較例５、６および８と比較した。
【００８９】
比較例５、６および８はケア有効成分として当該産業に普及しており、水性界面活性剤組成物における非常に効果の高いケア有効成分と見なされているものである。
【００９０】
１０人の訓練された被験者からなるグループが規定の方法で手を洗い、泡の性質および触感を１（悪い）〜５（非常に良い）の評点を用いて評価した。
【００９１】
使用した生成物は、それぞれ標準化された界面活性剤組成物（表３）中で試験した。使用した対照組成物０ｂは、有機変性シロキサンを添加していない組成物である。
【００９２】
【表３】
0006042826.tif 000011
【００９３】
官能性試験の結果を表４にまとめる。
【００９４】
【表４】
0006042826.tif 000012
【００９５】
表４に手洗い試験結果を示す。この測定結果から、本発明による実施例１および２を使用した本発明の組成物１ｂおよび２ｂは、先行技術による比較組成物Ｃ３ｂ、Ｃ４ｂおよびＣ５ｂと比較すると、すべての適用性において優れていることが明らかである。
【００９６】
これに基づき、本発明の組成物１ｂおよび２ｂの結果は非常に優れていると言える。
【００９７】
この測定値から、組成物１ｂおよび２ｂ中の本発明による実施例１および２は、比較例５、６および８よりも皮膚の性質を改善することが明らかである。さらに、この測定値から、シリコーン化合物を含まない対照組成物０ｂが他の試験組成物の測定値よりも劣っていることが分かる。
【００９８】
３．）粘度への作用：
本発明による実施例１および２ならびに先行技術による比較例５、６、７および８の粘度に与える作用を検証するために、これらの化合物を、２種類の増粘剤であるＮａＣｌおよび市販品であるＡＮＴＩＬ(登録商標）１７１（Evonik Goldschmidt GmbH；ＩＮＣＩ：オレイン酸／ヤシ油脂肪酸ＰＥＧ−１８グリセリル（PEG-18 Glyceryl Oleate/Cocoate））を含む２種類の典型的なシャンプー組成物で試験した。典型的なシャンプー組成物には、塩基性コンディショナーすなわち吸着性ポリマー（deposition polymer）としてポリクオタニウム−１０（ＰＱ−１０）０．２％を使用した（３ａ参照）。他の典型的なシャンプー組成物においては、塩基性コンディショナーすなわち吸着性ポリマーとしてグアークワット（guar quat）０．２％を使用した（３ｂ参照）。
【００９９】
この組成物を調製後２５℃で２４時間保管した後、ブルックフィールド粘度計（Brookfield LVF、スピンドル３、５ｒｐｍ）を２５℃で使用して粘度を測定した。
【０１００】
３ａ）シャンプー組成物においてポリクオタニウム−１０（ＰＱ−１０）を使用した場合の粘度への作用：
使用した対照組成物０ｃは、シリコーン化合物（コンディショナー）を添加せずＰＱ−１０を０．２％を使用した組成物である。本発明の組成物１ｃおよび２ｃならびに比較組成物Ｃ３ｃ、Ｃ４ｃ、Ｃ５ｃおよびＣ６ｃの場合は、それぞれＰＱ−１０に加えてシリコーン化合物０．５％を使用した。
【０１０１】
本発明による実施例１および２を含む組成物１ｃおよび２ｃの結果、先行技術による比較例５、６、７および８を含む組成物Ｃ３ｃ、Ｃ４ｃ、Ｃ５ｃおよびＣ６ｃの結果ならびにシリコーン化合物を添加しなかった組成物０ｃ（試験組成物）の結果を表５にまとめる。
【０１０２】
【表５】
0006042826.tif 000013
【０１０３】
【表６】
0006042826.tif 000014
【０１０４】
表５の測定結果を参照すると、本発明による水性界面活性組成物１ｃおよび２ｃは、対照組成物０ｃと比較して、粘度が低下しないことが明白である。ごくわずかな粘度上昇さえ認められた。これとは対照的に、先行技術による比較組成物Ｃ３ｃ、Ｃ４ｃ、Ｃ５ｃおよびＣ６ｃの場合は、対照組成物０ｃと比較すると粘度が大幅に低下している。この粘度降下はシリコーン化合物を水性界面活性剤組成物に使用した場合に典型的なものであり、良好なコンディショニング性を有する組成物の開発の大きな妨げになる。ＰＥＧ−１２ジメチコンを使用した比較組成物Ｃ４ｃにおいては特に劇的な粘度降下が認められる。
【０１０５】
３ｂ）シャンプー組成物においてグアークワットを使用した場合の粘度への作用：
使用した対照組成物０ｄはシリコーン化合物（コンディショナー）を添加せず、グアークワット０．２％を使用した組成物である。本発明の組成物１ｄおよび２ｄならびに比較組成物Ｃ３ｄ、Ｃ４ｄ、Ｃ５ｄおよびＣ６ｄの場合は、それぞれグアークワット０．２％に加えてシリコーン化合物０．５％を使用した。
【０１０６】
本発明による実施例１および２を含む組成物１ｄおよび２ｄの結果、先行技術による比較例５、６、７および８を含む組成物Ｃ３ｄ、Ｃ４ｄ、Ｃ５ｄおよびＣ６ｄの結果ならびにシリコーン化合物を添加しない対組成物０ｄ（試験組成物）の結果を表６にまとめる。
【０１０７】
【表７】
0006042826.tif 000015
【０１０８】
【表８】
0006042826.tif 000016
【０１０９】
表６の測定結果を参照すると、本発明による水性界面活性組成物１ｄおよび２ｄは、対照組成物０ｄと比較して、粘度が低下していないことが明らかである。わずかな粘度上昇さえ認められた。
【０１１０】
これとは対照的に、先行技術による比較組成物Ｃ３ｄ、Ｃ４ｄ、Ｃ５ｄおよびＣ６ｄの場合は、比較組成物０ｄと比較すると粘度がかなり低下している。この粘度降下は水性界面活性組成物にシリコーン化合物を使用した場合に典型的なものであり、良好なコンディショニング性を有する組成物の開発の大きな妨げになる。ＰＥＧ−１２ジメチコンを使用した比較組成物Ｃ４ｄにおいては特に顕著な粘度降下が認められる。
【０１１１】
組成物例：
次の組成物例は、本発明によるポリシロキサンが多くの化粧料組成物に使用できることを示すものである。
【０１１２】
【表９】
0006042826.tif 000017
【０１１３】
【表１０】
0006042826.tif 000018
【０１１４】
【表１１】
0006042826.tif 000019
【０１１５】
【表１２】
0006042826.tif 000020
【０１１６】
【表１３】
0006042826.tif 000021
【０１１７】
【表１４】
0006042826.tif 000022
【０１１８】
【表１５】
0006042826.tif 000023
【０１１９】
【表１６】
0006042826.tif 000024
【０１２０】
【表１７】
0006042826.tif 000025
【０１２１】
【表１８】
0006042826.tif 000026
【０１２２】
【表１９】
0006042826.tif 000027
【０１２３】
【表２０】
0006042826.tif 000028
【０１２４】
【表２１】
0006042826.tif 000029
【０１２５】
【表２２】
0006042826.tif 000030
【０１２６】
【表２３】
0006042826.tif 000031
【０１２７】
【表２４】
0006042826.tif 000032
【０１２８】
【表２５】
0006042826.tif 000033
【０１２９】
【表２６】
0006042826.tif 000034
【０１３０】
【表２７】
0006042826.tif 000035
【０１３１】
【表２８】
0006042826.tif 000036
【０１３２】
【表２９】
0006042826.tif 000037
【０１３３】
【表３０】
0006042826.tif 000038
【０１３４】
【表３１】
0006042826.tif 000039
【０１３５】
【表３２】
0006042826.tif 000040
【０１３６】
【表３３】
0006042826.tif 000041
【０１３７】
【表３４】
0006042826.tif 000042
【０１３８】
【表３５】
0006042826.tif 000043
【０１３９】
【表３６】
0006042826.tif 000044
【０１４０】
【表３７】
0006042826.tif 000045
【０１４１】
【表３８】
0006042826.tif 000046
【０１４２】
【表３９】
0006042826.tif 000047
【０１４３】
【表４０】
0006042826.tif 000048
【０１４４】
【表４１】
0006042826.tif 000049
【０１４５】
【表４２】
0006042826.tif 000050
【０１４６】
【表４３】
0006042826.tif 000051
【０１４７】
【表４４】
0006042826.tif 000052
【０１４８】
【表４５】
0006042826.tif 000053
【０１４９】
【表４６】
0006042826.tif 000054
【０１５０】
【表４７】
0006042826.tif 000055
【０１５１】
【表４８】
0006042826.tif 000056
【０１５２】
【表４９】
0006042826.tif 000057
【０１５３】
【表５０】
0006042826.tif 000058
【０１５４】
【表５１】
0006042826.tif 000059
【０１５５】
【表５２】
0006042826.tif 000060
【０１５６】
【表５３】
0006042826.tif 000061